(57)【要約】      （修正有）【課題】インタラクティブマルチメディア再生装置を提供する。【解決手段】再生装置１００は、キャリアと、複数の反射シートと、光源と、複数の光センサ１１１と、プレーヤ１１２とを備える。キャリアは、上部プレートと下部プレートを備える。複数の品物は上部プレートに載置される。それぞれの品物には反射シートが設けられる。各反射シートは異なる反射輝度値を有する。上部プレートは光透過部を有する。それらの反射シートは光透過部に向かって設けられる。光源は、下部プレートに設けられ、光透過部に向かって光を射出する。光センサは、それぞれ品物の載置位置に対応し、光透過部に入射された複数の輝度情報を測定する。プレーヤと外部処理ユニットは通信可能に接続する。外部処理ユニットは、輝度情報と反射輝度値に基づいて各輝度情報が反射輝度値に対応するか否かを判断する。特定の反射輝度値がそれらの輝度情報に現れない場合、外部処理ユニットは、対応するメディア１３２１をプレーヤに送信する。【選択図】図１
0003214855.tif 000002
【実用新案登録請求の範囲】
【請求項１】
複数の品物を載置するのに適して少なくとも一つの光透過部を有する上部プレートと、下部プレートとを含むキャリアと、  前記品物のそれぞれに設けられ、前記少なくとも一つの光透過部に向かって配置され、それぞれの対応する反射輝度値で反射し、前記反射輝度値のそれぞれが互いに異なる複数の反射シートと、  前記下部プレートに配置され、前記少なくとも一つの光透過部に向かって光を射出する光源と、  前記品物の載置位置のそれぞれに対応して、前記少なくとも一つの光透過部から入射された複数の輝度情報を測定する複数の光センサと、  対応するメディアを再生するためのプレーヤと、  を含み、  前記プレーヤは、外部処理ユニットと通信可能に接続するし、前記外部処理ユニットは、前記輝度情報および前記反射輝度値に基づいて、前記輝度情報のそれぞれには前記反射輝度値を含むかどうかを判断し、前記輝度情報には前記反射輝度値の中の特定の反射輝度値がない場合、前記外部処理ユニットは、前記特定の反射輝度値に対応する前記メディアを前記プレーヤに送信するインタラクティブマルチメディア再生装置。
【請求項２】
前記少なくとも1つの光透過部は、複数の光透過孔であり、前記光センサは、前記光透過孔から入射された前記輝度情報を一対一に測定し、前記品物にある前記反射シートは、前記光透過孔に向かって一対一に配置される請求項１に記載のインタラクティブマルチメディア再生装置。
【請求項３】
前記少なくとも1つの光透過部は、光透過長溝であり、前記品物にある前記反射シートは、前記光透過長溝に向かって配置され、前記光センサは、前記品物の載置位置に対応する前記光透過長溝から入射された前記輝度情報を一対一に測定する請求項１に記載のインタラクティブマルチメディア再生装置。
【請求項４】
前記プレーヤは、メディアライブラリと通信可能に接続し、前記メディアライブラリは、前記反射輝度値のそれぞれに対応する前記メディア、および前記反射輝度値と前記メディアとの対応表を格納するのに用いられ、前記対応表には、それぞれの前記反射輝度値とそれぞれの前記メディアとの対応関係が記録されており、それぞれの反射輝度値は、それぞれの品物に対応する反射シートでの反射光が、前記少なくとも一つの光透過部から入射され、前記光センサにより測定された輝度情報であり、一つのメディアに対応する請求項１に記載のインタラクティブマルチメディア再生装置。
【請求項５】
前記対応表はさらに、環境光輝度値を含み、前記輝度情報には前記環境光輝度値がある場合、前記外部処理ユニットは、前記輝度情報にはない前記反射輝度値の一つを前記特定の反射輝度値として判断する請求項４に記載のインタラクティブマルチメディア再生装置。
【請求項６】
前記キャリアはさらに、前記上部プレートと前記下部プレートとの間に接続された少なくとも一つの側部プレートを含む請求項１に記載のインタラクティブマルチメディア再生装置。
【請求項７】
前記プレーヤは、モニターである請求項１に記載のインタラクティブマルチメディア再生装置。
【請求項８】
前記モニターは複数の表示領域を有し、前記輝度情報には前記特定の反射輝度値がない場合、前記外部処理ユニットは、前記特定の反射輝度値に対応する前記メディアを前記モニターに送信し、前記複数の表示領域は、前記メディアをそれぞれに表示する請求項７に記載のインタラクティブマルチメディア再生装置。
【請求項９】
前記プレーヤは、複数のモニターであり、前記輝度情報には前記特定の反射輝度値がない場合、前記外部処理ユニットは、前記特定の反射輝度値に対応する前記メディアを前記モニターに送信し、前記モニターは、前記メディアをそれぞれに表示する請求項１に記載のインタラクティブマルチメディア再生装置。
【請求項１０】
前記光センサは、無線ネットワークを介して前記外部処理ユニットに接続する請求項１に記載のインタラクティブマルチメディア再生装置。
【考案の詳細な説明】
【技術分野】
【０００１】本考案は、インタラクティブマルチメディア再生装置に関し、特に、品物を認識してインタラクティブすることができるマルチメディア再生装置に関する。
【先行技術】
【０００２】ストアは、消費者の注目を引き付けるために、しばしば販売棚で商品の広告情報を再生して、消費者の買い物の欲求を高めるようにする。売り手にとっては、商業上の原因からか（例えば、プロモーションのため）、一つの特定の商品が対応する広告情報だけを再生することが多いが、買い手の需要に応じて希望の商品の広告情報を再生することができないので、買い手の消費を刺激することができない。
【０００３】特許文献1には、インタラクティブ広告再生装置が開示されている。特許文献1では、テーブル上に複数の表示部を配置してテーブルの端部に接近させており、テーブルのエッジに複数のカメラモジュールを配置して、カメラモジュールによってテーブルの端部に位置するユーザの画像データを取得する。また、処理モジュールは、画像データにおけるユーザの位置に応じて、ユーザが隣接するテーブルの端部で配置されている表示部を制御し、ユーザの身分に対応する広告情報を表示部に表示させることができる。このようなテーブルの近くにユーザが座っていると、商品の購入意欲を高めるために、ユーザに適した広告コンテンツを表示させるようにしてもよい。しかし、このような装置は、複雑な画像処理技術を必要とし、ユーザの身分（例えば、年齢、性別など）に対応する非常に大きい広告データベースを作成する必要がある。この数が非常に多くて、再生された広告は、特定のユーザにとって現在興味のある情報ではない可能性がある。
【０００４】特許文献２には、インタラクティブ広告絵柄フレームが提供されている。特許文献２において、フレーム本体に複数の光透過孔が設けられ、フレーム本体に広告絵柄パネルが取り付けられ、光透過孔の前面側にサブ絵柄パネルが取り付けられ、複数の発光装置がサブ絵柄パネルと一対一に配置されている。群衆とのインタラクティブを容易にするために、発光装置は、一つの無線通信モジュールと制御モジュールも含む。制御モジュールは、無線通信モジュールおよび回路基板と電気的に接続され、無線通信モジュールにより受信された信号によって発光モジュールの発光状態を制御するのに用いられる。しかしながら、このような装置は、ユーザが無線送信機能を有する携帯装置（例えば、携帯電話）を使用して無線通信モジュールに接続することを要求する。そうしないと、携帯電話を介して広告絵柄フレームに対して制御やインタラクティブを行うことができない。
【０００５】[特許文献1] TW M516774[特許文献2] CN205541749U
【実用新案の内容】
【０００６】本考案は、品物がキャリア（例えば、販売棚）上に存在するか否かを認識できるインタラクティブマルチメディア再生装置に関する。品物がキャリア上に存在しない場合、プレーヤは、対応するメディアを再生する。
【０００７】本考案の一つの方面によれば、インタラクティブマルチメディア再生装置が提出されている。インタラクティブマルチメディア再生装置は、キャリアと、複数の反射シートと、光源と、複数の光センサと、プレーヤとを備える。キャリアは、上部プレートと下部プレートを備える。上部プレートは、複数の品物を載置することに適し、少なくとも一つの光透過部を有する。それぞれの品物には複数の反射シートが設けられる。それらの反射シートは、少なくとも一つの光透過部に向かって設けられる。それらの反射シートは、複数の対応する反射輝度値を有し、各反射輝度値が異なる。光源は、下部プレートに設けられ、少なくとも一つの光透過部に向かって光を射出する。複数の光センサは、それぞれそれらの品物の載置位置に対応し、少なくとも一つの光透過部に入射された複数の輝度情報を測定する。プレーアは、対応するメディアを再生するのに用いられる。プレーヤと外部処理ユニットは通信可能に接続する。外部処理ユニットは、それらの輝度情報とそれらの反射輝度値に基づいて各輝度情報がそれらの反射輝度値に対応するか否かを判断する。特定の反射輝度値がそれらの輝度情報に現れない場合、外部処理ユニットは、対応するメディアをプレーヤに送信する。
【０００８】以下、本考案の上記方面および他の方面をよりよく理解するために、実施例を挙げて添付の図面を参照して詳細に説明する。
【図面の簡単な説明】
【０００９】
【図１】は、インタラクティブマルチメディア再生システムが品物を認識して対応するメディアを再生することを示す概略図である。
【図２】は、本考案の一つの実施形態に係るインタラクティブマルチメディア再生装置を示す概略図である。
【図３】は、本考案の他の実施形態に係るインタラクティブマルチメディア再生装置を示す概略図である。
【図４】は、本考案のさらに他の実施形態に係るインタラクティブマルチメディア再生装置を示す概略図である。
【実施形態】
【００１０】以下、各種の実施例を挙げて詳細に説明する。本考案は、すべての可能な実施例を示すものではなく、本考案で提出されていない他の実施形態にも適用できる。さらに、図示する寸法や比例は、実際の製品に等比例にして作成されるものではない。したがって、明細書および図面は、実施例の説明のみに使われ、本考案の保護範囲を限定するものではない。また、本考案の技術的特徴を明確にするために、実施例における図面では、一部の要素が省略されている。以下は、同一/類似の符号で同一/類似の要素または手順を表すことによって説明する。
【００１１】図1を参照すると、インタラクティブマルチメディア再生システム100が品物を認識して対応するメディアを再生する概略図が示されている。インタラクティブマルチメディア再生システム100は、インタラクティブマルチメディア再生装置110およびホスト130を含む。インタラクティブマルチメディア再生装置110とホスト130とは通信可能に接続する。インタラクティブマルチメディア再生装置110は、例えば、複数の光センサ111およびプレーヤ112を含む、消費者に提供されるインタラクティブ端末である。これらの光センサ111は、複数の輝度情報LD1からLDnをそれぞれ測定する。プレーヤ112は、例えば、モニターやスピーカ等である。ホスト130は、例えば、デスクトップコンピュータ、サーバ、ノートブックコンピュータ、クラウドコンピューティングセンターなどである。ホスト130は、処理ユニット131を含む。処理ユニット131は、ネットワーク120（例えば、無線ネットワーク）を介して複数の光センサ111から送信された輝度情報LD1からLDnを受信して判断し、消費者の嗜好に応じて対応するメディアMxをプレーヤ112に提供する。プレーヤ112は、ネットワーク140（例えば、有線ネットワークまたは無線ネットワーク）を介してこのメディアMxを受信することができる。
【００１２】図2を参照すると、本考案の一つの実施形態に係るインタラクティブマルチメディア再生装置110の概略図が示されている。インタラクティブマルチメディアプレーヤ110は、複数の光センサ111およびプレーヤ112に加えて、キャリア113、光源114、および複数の光反射シート115をさらに含む。
【００１３】キャリア113は、上部プレート1131および下部プレート1132を含む。上部プレート1131は、少なくとも1つの光透過部113Tを有する。なお、上部プレート1131は、透光可能な光透過部113Tを除いて、他の部分が透光不能である。本実施形態において、光透過部113Tは透光可能な長溝であるが、本考案はこれに限定されるものではない。
【００１４】光源114は、下部プレート1132上に設けられ、光透過部113Tに向かって光を射出する。光源114は、複数の発光ダイオード1141を並べることによって単一のライトバーを形成するように配置されることができるが、複数の行及び複数の列のアレイに配置されてもよく、これに限定されない。勿論、光源114は、発光ダイオードに限定されない。他の実施形態では、光源114は、白熱ランプ、蛍光灯、キセノンランプ、タングステンハロゲンランプ、高輝度ガス放電ランプなどであってもよい。
【００１５】上部プレート1131は、複数の品物を載置するのに適する。ここで、3つの品物P1、P2、P3の載置を例として説明する。品物P1、P2、P3は、例えば、販売される商品である。それぞれの品物P1、P2またはP3には、対応する反射シート115が設けられる。反射シート115は、例えば品物P1、P2およびP3に直接接着可能な反射性ステッカーである。いくつかの実施形態では、反射シート115は、反射ミラーまたは反射板であってもよい。反射シート115は、品物P1、P2、P3の底部に設けられてもよい。例えば、それらの反射シート115が光透過部113Tに向かって配置されるように、反射シート1151が品物P1の底部に設けられ、反射シート1152が品物P2の底部に設けられ、反射シート1153が品物P3の底部に設けられる。 
【００１６】反射シート1151、1152、1153はそれぞれ反射輝度値を有し、互いの間の値は同じではない。例えば、反射シート1151、1152、1153は、異なる反射輝度値を有するように、それぞれ異なる材料で作製されてもよく、それぞれ異なる色で作製されてもよい。すなわち、各反射輝度値は、各品物P1、P2またはP3に対応する反射シート1151、1152または1153について測定された輝度の数値である。
【００１７】図1を参照すると、ホスト130は、メディアライブラリ132をさらに含む。メディアライブラリ132は、複数のメディア1321および輝度とメディアとの対応表1322を格納するために使用される。それらのメディア1321は、画面、ストリーム画面、映画、音声などを含む、品物P1、P2、P3のそれぞれに対応する広告情報であってもよい。輝度とメディアとの対応表1322は、例えば、管理者によりホスト130から入力または設定されて、メディアライブラリ132に格納されてもよい。輝度とメディアとの対応表1322には、上記各反射シート1151、1152、1133で測定された反射輝度値と各メディアとの対応関係が記録されている。
【００１８】例えば、図２示すインタラクティブマルチメディア再生装置110に関する実施形態における輝度とメディアとの対応表1322である表1を参照する。まず、図２に示すインタラクティブマルチメディア再生装置110と同じ環境条件で、反射シート1151、1152および1153の反射輝度値を測定する。測定された反射輝度値は、それぞれRLV1、RLV2、RLV3である。次に、反射シート1151、1152、1153を品物P1からP3にそれぞれ設ける。また、各品物P1、P2、P3はそれぞれメディアM1、M2、M3に対応する。ここでは、反射シート1151、1152、1153を品物P1、P2、P3にそれぞれに設ける場合を例として説明する。その後、管理者は、反射シート1151、1152、1153で測定された反射輝度値RLV1、RLV2、RLV3とメディアM1、M2、M3との間の対応関係を入力して、輝度とメディアとの対応表1322を作成することができる。したがって、輝度とメディアとの対応表1322から分かるように、品物P1に対応する反射シート1151の反射輝度値RLV1が品物P1のメディアM1に対応し、品物P2に対応する反射シート1152の反射輝度値RLV2が品物P2のメディアM2に対応し、品物P3に対応する反射シート1153の反射輝度値RLV3が品物P3のメディアM3に対応する。
【００１９】表10003214855.tif 000003
【００２０】図１及び図２を参照すると、複数の光センサ111は、品物P1、P2、P3の載置位置に対応して、光透過部113Tから入射された輝度情報LD1、LD2及びLD3をそれぞれ測定する。例えば、光センサ1111は、品物P1に対応し、品物P1が載置される光透過部113Tの位置から入射された輝度情報LD1を測定する。光センサ1112は、品物P2に対応し、品物P2が載置される光透過部113Tの位置から入射された輝度情報LD2を測定する。光センサ1113は、品物P3に対応し、品物P3が載置される光透過部113Tの位置から入射された輝度情報LD3を測定する。
【００２１】続いて、それらの輝度情報LD1、LD2、LD3は、ネットワーク120を介して処理ユニット131に送信される。処理ユニット131は、それらの輝度情報LD1、LD2、LD3および輝度とメディアとの対応表1322に元々記録されている反射輝度値RLV1、RLV2、RLV3の全てに基づいて、各LD1、LD2、LD3が反射輝度値RLV1、RLV2、RLV3に対応するかどうかを判断する。それらの反射輝度値RLV1、RLV2、RLV3における一つの特定の反射輝度値がそれらの輝度情報LD1、LD2、LD3に現れていない場合は、処理ユニット131がその特定の反射輝度値に対応するメディアMxをプレーヤ112に送信する。
【００２２】詳細に説明すると、光センサ1111、1112、1113が品物P1、P2、P3の位置に対応して入射された輝度情報LD1、LD2、LD3をそれぞれ測定するため、すべての品物P1、P2、P3が光透過部113Tに対応して上部プレート1131上に載置される場合、光センサ1111により測定された輝度情報LD1は反射シート1151の反射輝度値RLV1に対応し、光センサ1112により測定された輝度情報LD2は反射シート1152の反射輝度値RLV2に対応し、光センサ1113により測定された輝度情報LD3は反射シート1153の反射輝度値RLV3に対応する。したがって、処理ユニット131が受信した輝度情報LD1からLD3がそれぞれ反射輝度値RLV1からRLV3に対応すると判断した場合は、すべての品物P1からP3が消費者により取り上げられていないことを表す。
【００２３】消費者が品物P1に興味を持っている場合、消費者が品物P1を取り上げたとき、光センサ1111により測定された輝度情報LD1は、もはや反射シート1151の反射輝度RLV1に対応しない。したがって、反射シート1151の反射輝度値RLV1は、返送された輝度情報LD1からLD3に含まれず、反射シート1151の反射輝度RLV1が特定の反射輝度値であると判断される。メディアライブラリ132に格納された輝度とメディアとの対応表1322に基づいて、反射シート1111の反射率値RLV1に対応するメディアM1をプレーヤ112に送信する。これによって、処理ユニット131は、消費者が興味を持つ可能性がある品物P1に応じて、消費者が購入しようとする欲求を刺激するように、プレーヤ112により対応する広告情報を再生させることができる。
【００２４】また、各反射輝度値RLV1からRLV3と各メディアM1からM3との対応関係（すなわち、輝度とメディアとの対応表1322）を予め構築しており、処理ユニット131は、光センサ1111から1113により返送されたすべての輝度情報LD1からLD3の全体に基づいて判断を行うので、品物P1からP3の載置位置が入れ替えられることがあっても、処理ユニット113は、どの品物が消費者に取り上げられたかを依然として判明することができる。よって、プレーヤ112は、対応するメディアを再生できる。
【００２５】例えば、品物P1と品物P2との位置を交換する場合、光センサ1111により測定された輝度情報LD1は反射シート1152の反射輝度値RLV2に対応し、光センサ1112により測定された輝度情報LD2は反射シート1151の反射輝度値RLV1に対応し、光センサ1113により測定された輝度情報LD3は反射シート1153の反射輝度値RLV2に対応することになる。この状態で、品物P2が取り上げられると、光センサ1111により測光された輝度情報LD1は反射シート1152の反射輝度RLV2に対応しなくなる。このため、反射シート1152の反射輝度値RLV2は、返送された反射輝度情報LD1からLD3に含まれない。処理ユニット131は、反射シート1152の反射輝度RLV2が特定の反射輝度値であると判断して、メディアライブラリ132に格納されている輝度とメディアとの対応表1322に基づいて、反射シート1152の反射輝度値RLV2に対応するメディアM2をプレーア112に送信する。
【００２６】別の実施形態において、輝度とメディアとの対応表1322は、環境輝度値をさらに含むことができる。消費者が品物P1を取り上げると、光センサ1111により測定された輝度情報LD1はもはや反射シート1151の反射輝度RLV1に対応するのではなく、環境輝度値に対応する。そのため、返送された輝度情報LD1からLD3には、環境輝度値が現れるが、反射シート1151の反射輝度値RLV1が含まれていない。処理ユニット131は、反射シート1151の反射輝度値RLV1が特定の反射輝度値であると判断して、メディアライブラリ132に格納された輝度とメディアとの対応表1322に基づいて、反射シート1151の反射輝度RLV1に対応するメディアM1をプレーヤ112に送信する。よって、処理ユニット131は、消費者が購入しようとする欲求を刺激するように、プレーヤ112に対応する広告情報を再生させることができる。
【００２７】いくつかの実施形態において、プレーヤ112がモニターである場合に、モニターは複数の表示領域を有してもよく、或いは、プレーヤ112が複数のモニターであってもよい。消費者が同時に品物P1、P2を取り上げると、返送された輝度情報LD1からLD3には、反射板1151の反射輝度値RLV1と反射板1152の反射輝度値RLV2が含まれない。処理ユニット131は、反射シート1151の反射輝度値RLV1と反射シート1152の反射輝度値RLV2とが特定の反射輝度値であると判断し、メディアライブラリ132に格納された輝度とメディアとの対応表1322に基づいて、反射シート1151の反射輝度値RLV1に対応するメディアM1と反射シート1152の反射輝度値RLV2に対応するメディアM2をプレーヤ112に送信する。よって、モニターは、メディアM1とディアM2をそれぞれに表示する2つの表示領域に区切られ、或いは、複数のモニターは、それぞれメディアM1とメディアM2を表示する。したがって、処理ユニット131は、消費者が興味を持つ可能性がある品物P1およびP2に応じて、消費者が購入しようとする欲求を刺激するように、プレーヤ112に対応する広告情報を再生させることができる。
【００２８】一方、光透過部113Tのいずれか1箇所に光源114から出射された光は、それらの品物P1、P2、P3の載置位置を入れ替える場合に、反射シート1151、1152、1153が光源114のビームを反射する時、測定された輝度値が反射シート1151、1152、1153の最初の反射輝度値RLV1、RLV2、RLV3に対応せず、ひいては処理ユニット131が受信光センサ1111、1112、1113からの輝度情報LD1、LD2、LD3を判断することに影響を及ぼすことを回避するように、均一である。
【００２９】図3を参照すると、本考案の別の実施形態に係るインタラクティブマルチメディア再生装置210の概略図が示されている。図2に示すインタラクティブマルチメディア再生装置110と比べて、インタラクティブマルチメディア再生装置210の光透過部213Tが複数の光透過孔213T1、213T2、213T3である点で相違する。ここにおいて、品物P1、P2、P3の反射シート1151、1152、1153は、光透過孔213T1、213T2、213T3に向かって一対一に設けられており、光センサ1111、1112、1113は、光透過孔213T1、213T2、213T3から入射された輝度情報LD1、LD2、LD3を一対一に測定する。
【００３０】図4を参照すると、本考案のさらに別の実施形態に係るインタラクティブマルチメディア再生装置310の概略図が示されている。図2に示すインタラクティブマルチメディア再生装置110との相違点は、インタラクティブマルチメディア再生装置110のキャリア313が上部プレート3131、下部プレート3132、および上部プレート3131と下部プレート3132の間に接続された4つの側部プレート3133を含み、キャリア313が実質的に閉じたボックスに形成されるということである。
【００３１】上述したインタラクティブマルチメディア再生装置110、210、310によれば、主に品物に反射輝度値の異なる反射シートが設けられ、光センサを利用して品物の位置に対応して入射された輝度情報を測定する。外部処理ユニットは、それらの輝度情報および反射輝度値に基づいて各輝度情報がそれらの反射輝度値に対応するか否かを判断する。これらの反射輝度値の中の特定の反射輝度値がそれらの輝度情報に現れない場合、外部処理ユニットは、この特定の反射輝度値に対応するメディアをプレーヤに送信することによって、消費者が興味を持つ可能性がある品物に応じて、プレーアに対応する広告情報を再生させて、消費者が購入しようとする欲求を刺激する。
【００３２】また、各反射輝度値と各メディアとの対応関係が予め構築されており、外部処理ユニットが光センサから返信されたすべての輝度情報の全体に基づいて判断を行うので、品物の載置位置を入れ替える場合があっても、外部処理ユニットは、依然として消費者がどの品物を取り上げたのかを判明できて、プレーヤによって対応するメディアを再生することができる。
【００３３】上述したインタラクティブマルチメディア再生装置110、210、310は、複数の反射シート、光センサ、光源などだけで構成されており、安価であるという利点がある。また、本考案は、地元によって相応しく様々な販売場所に配置することができ、実際の需要に応じてキャリアのサイズを変更してもよく、例えば、厚みをさらに薄くしたり、品物の数が多くなるとキャリアを狭いタイプにしたりすることができる。また、本考案は、既存の販売棚板と組み合わせることもでき、利便性の大幅な向上が可能である。
【００３４】要するに、本考案は上記の実施例のように開示されたが、本実用新案を限定することを意図するものではない。本実用新案が所属する技術分野における一般的な知識を持つ人が、本考案に係る創造の主旨と範囲から逸脱しなければ、様々な変更や修正が可能である。したがって、本実用新案に係る保護範囲は、添付した特許出願の範囲に従うものとすべきである。
【００３５】符号説明100：インタラクティブマルチメディア再生システム110、210、310：インタラクティブマルチメディア再生装置111：複数の光センサ1111、1112、1113：光センサ112：プレーヤ113、313：キャリア113T、213T：光透過部213T1、213T2、213T3：光透過孔1131、3131：上部プレート1132、3132：下部プレート3133：側部プレート114：光源1141：発光ダイオード115：複数の反射シート1151、1152、1153：反射シート120：ネットワーク130：ホスト131：処理ユニット132：メディアライブラリ1321：複数のメディア1322：光とメディアとの対応表140：ネットワークLD1-LDn：輝度情報Mx：メディアP1-P3：品物
【図１】
0003214855.tif 000004
【図２】
0003214855.tif 000005
【図３】
0003214855.tif 000006
【図４】
0003214855.tif 000007